(57)【要約】【課題】スピニングリールのスプール支持構造において、保持部材のがたつきを防止する。【解決手段】糸巻胴部の内周部１８の内側には第１軸受５６及び第２軸受５７が装着されており、第１軸受５６及び第２軸受５７は筒状の保持部材７０を介してスプール軸１５に回転自在に装着されている。保持部材７０の後端部には、後方への移動が規制されて装着された環状部材２０が当接している。保持部材７０は、保持部材７０に形成された貫通孔７１ｃを貫通し、スプール軸１５に形成された雌ねじ１５ａに螺合するピン部材７５によりスプール軸１５に回転不能に固定されている。保持部材７０の前端部には、環状部材２０とで保持部材７０を挟持するナット部材８０が当接するように、スプール軸１５外周に前方から装着されている。【選択図】      図４
2004180648.tif 000002
【特許請求の範囲】
【請求項１】
リール本体に対して前後移動自在なスプール軸にスプールを回転可能に装着するためのスピニングリールのスプール支持構造であって、
前記スプールの内周部に配置された軸受と、
前記スプール軸外周に後方への移動が規制されて装着された環状部材と、
外周に前記軸受が保持され、内周が前記スプール軸に回転不能に装着され、後端部が前記環状部材に当接し、前記スプールにより後方に押圧される筒状の保持部材と、
前記スプール軸外周に前方から装着され、前記保持部材の前端部が当接して前記環状部材とで前記保持部材を挟持するナット部材と、
を備えたスピニングリールのスプール支持構造。
【請求項２】
前記保持部材は、内周が前記スプール軸に回転不能に装着される円筒部と、前記円筒部の外周に設けられ前側面が前記スプールの内周部に押圧される円板部とを有している、請求項１に記載のスピニングリールのスプール支持構造。
【請求項３】
前記円筒部は、前記円板部の前側に設けられた第１円筒部と、前記円板部の後側に設けられた第２円筒部とを有しており、
前記軸受は、前記第１円筒部の外周に配置された第１軸受と、前記第２円筒部の外周に配置された第２軸受とを有している、請求項２に記載のスピニングリールのスプール支持構造。
【請求項４】
前記円板部の前側面と前記スプールの内周部との間には、間座部材がさらに装着されている、請求項２又は３に記載のスピニングリールのスプール支持構造。
【請求項５】
前記保持部材は、前記円筒部及び前記スプール軸に挿通されるピン部材により、前記スプール軸に回転不能に装着される、請求項１から４のいずれかに記載のスピニングリールのスプール支持構造。
【請求項６】
前記ナット部材の内周には雌ねじが形成され、前記スプール軸の外周には前記雌ねじが螺合する雄ねじが形成されている、請求項１から５のいずれかに記載のスピニングリールのスプール支持構造。
【請求項７】
前記ナット部材と前記保持部材の前端部との間には緩み止め用の座金がさらに装着されている、請求項１から６のいずれかに記載のスピニングリールのスプール支持構造。
【請求項８】
前記ナット部材の外径は前記第１軸受の内径より小さい、請求項３から７のいずれかに記載のスピニングリールのスプール支持構造。
【発明の詳細な説明】
【０００１】
【発明の属する技術分野】
本発明は、スピニングリールのスプール支持構造、特に、リール本体に対して前後移動自在なスプール軸にスプールを回転可能に装着するためのスピニングリールのスプール支持構造に関する。
【０００２】
【従来の技術】
一般に、スピニングリールは、ハンドルを回転自在に支持するリール本体と、ロータと、スプール軸に回転可能に装着されたスプールとを備えている。スピニングリールのスプールは、リール本体に対して前後移動自在であり、外周に釣り糸が巻き付けられ内周にスプール軸が装着される糸巻胴部と、糸巻胴部の後端部に設けられた大径筒状のスカート部とを備えている。糸巻胴部の後端部には、スプール軸に移動不能に装着され、スプールの後方への移動を規制する環状部材が配置されている。また、フロントドラグ型のスピニングリールでは、糸巻胴部の内部には、複数のドラグ板からなるドラグ機構等を有している。
【０００３】
このようなスプールは、たとえばボールベアリング等の２つの軸受によりスプール軸に回転自在に装着されている（たとえば、特許文献１参照）。この種の軸受は、糸巻胴部の内周に配置され、スプール軸の外周に回転不能に装着された筒状の保持部材に保持されている。保持部材は、後端部が環状部材に当接しており、糸巻胴部により後方に押圧されている。また、保持部材には貫通孔が形成され、スプール軸には貫通孔に連通する雌ねじが形成されている。これらの貫通孔及び雌ねじに六角穴付き止めねじ等のピン部材を挿通螺合させることにより、保持部材をスプール軸に回転不能に固定している。ここでは、保持部材の後端部を環状部材に当接させることにより、スプールの後方への移動を規制しているので、ドラグ機構を作動してドラグ板を後方に押圧できる。
【０００４】
【特許文献１】
特開２００２−２０４６４０号公報
【０００５】
【発明が解決しようとする課題】
前記従来のスピニングリールでは、たとえば実釣時に魚等との駆け引きを楽しむために、ドラグ機構を緩めて釣りを行うことがある。このようにドラグ機構を緩めると、後方に押圧されていたドラグ板の押圧力が小さくなる。ドラグ板の押圧力が小さくなると、糸巻胴部が保持部材を後方に押圧する力が小さくなる。すると、ここでは保持部材に形成された貫通孔に六角穴付き止めねじが貫通しているので、保持部材と六角穴付き止めねじとの間の隙間により、がたつきが生じるおそれがある。保持部材ががたつくと、スプールの滑らかな前後移動に支障をきたすおそれが生じる。
【０００６】
本発明の課題は、スピニングリールのスプール支持構造において、保持部材のがたつきを防止することにある。
【０００７】
【課題を解決するための手段】
発明１に係るスピニングリールのスプール支持構造は、リール本体に対して前後移動自在なスプール軸にスプールを回転可能に装着するためのスピニングリールのスプール支持構造であって、スプールの内周部に配置された軸受と、スプール軸外周に後方への移動が規制されて装着された環状部材と、後端部が環状部材に当接しスプールにより後方に押圧される筒状の保持部材と、保持部材の前端部が当接して環状部材とで保持部材を挟持するナット部材とを備えている。保持部材は、外周に軸受が保持され、内周がスプール軸に回転不能に装着されている。ナット部材はスプール軸外周に前方から装着されている。
【０００８】
このスプール支持構造では、スプール軸外周に前方から装着され、保持部材の前端部が当接して環状部材とで保持部材を挟持するナット部材を有している。このため、たとえばドラグ機構を緩めたとき、スプールの内周部が保持部材を後方に押圧する力が小さくなっても、保持部材はナット部材と環状部材とで挟持されているので、保持部材のがたつきを防止できる。
【０００９】
発明２に係るスプール支持構造は、発明１のスプール支持構造において、保持部材は、内周がスプール軸に回転不能に装着される円筒部と、円筒部の外周に設けられ前側面がスプールの内周部に押圧される円板部とを有している。この場合、円板部の前側面がスプールの内周部に押圧されるので、スプール内周部の押圧力を均等に受けることができる。
【００１０】
発明３に係るスプール支持構造は、発明２のスプール支持構造において、円筒部は、円板部の前側に設けられた第１円筒部と、円板部の後側に設けられた第２円筒部とを有している。軸受は、第１円筒部の外周に配置された第１軸受と、第２円筒部の外周に配置された第２軸受とを有している。この場合、第１軸受及び第２軸受の２つの軸受を設けることにより、スプールのスプール軸に対する回転を滑らかにできる。
【００１１】
発明４に係るスプール支持構造は、発明２又は３のスプール支持構造において、円板部の前側面とスプールの内周部との間には、間座部材がさらに装着されている。この場合、たとえば１又は複数の環状部材からなる間座部材を装着することにより、スプール内周部の押圧力を緩衝させることができる。
発明５に係るスプール支持構造は、発明１から４のいずれかのスプール支持構造において、保持部材は、円筒部及びスプール軸に挿通されるピン部材により、スプール軸に回転不能に装着される。この場合、たとえば円筒部及びスプール軸にそれぞれ貫通孔及び雌ねじを形成し、六角穴付き止めねじ等の外周に雄ねじが形成されたピン部材を挿通螺合させることにより、容易な構成で確実に保持部材をスプール軸に固定できる。
【００１２】
発明６に係るスプール支持構造は、発明１から５のいずれかのスプール支持構造において、ナット部材の内周には雌ねじが形成され、スプール軸の外周には雌ねじが螺合する雄ねじが形成されている。この場合、スプール軸にナット部材をねじ止めすることにより、容易な構成で確実にナット部材をスプール軸に固定できる。
【００１３】
発明７に係るスプール支持構造は、発明１から６のいずれかのスプール支持構造において、ナット部材と保持部材の前端部との間には緩み止め用の座金がさらに装着されている。この場合、ナット部材と保持部材との間に座金を装着することにより、ナット部材の緩み止めを行うことができる。
発明８に係るスプール支持構造は、発明３から７のいずれかのスプール支持構造において、ナット部材の外径は第１軸受の内径より小さい。この場合、ナット部材を取り外すことなく、第１軸受をスプール内周部に装着した状態でスプールを着脱することができる。
【００１４】
【発明の実施の形態】
本発明の一実施形態を採用したスピニングリールは、図１に示すように、ハンドル１を回転自在に支持するリール本体２と、ロータ３と、スプール４とを備えている。ロータ３は、リール本体２の前部に回転自在に支持されている。スプール４は、釣り糸を外周面に巻き取るものであり、ロータ３の前部に前後移動自在に配置されている。
【００１５】
リール本体２は、リールボディ２ａと、リールボディ２ａから斜め上前方に延びる竿取付脚２ｂとを有している。リールボディ２ａは、図２に示すように、内部に空間を有しており、その空間内には、ロータ３をハンドル１の回転に連動して回転させるロータ駆動機構５と、スプール４を前後に移動させて釣り糸を均一に巻き取るためのオシレーティング機構６とが設けられている。
【００１６】
ロータ駆動機構５は、ハンドル１が固定されたハンドル軸１０とともに回転するフェースギア１１と、このフェースギア１１に噛み合うピニオンギア１２とを有している。ピニオンギア１２は筒状に形成されており、ピニオンギア１２の前部はロータ３の中心部を貫通し、ナット１３によりロータ３に固定されている。また、ピニオンギア１２は、その軸方向の中間部と後端部とが、それぞれ軸受１４ａ、１４ｂを介してリール本体２に回転自在に支持されている。
【００１７】
オシレーティング機構６は、スプール４の中心部にドラグ機構６０を介して連結されたスプール軸１５を前後方向に移動させてスプール４を同方向に移動させるための機構である。オシレーティング機構６は、スプール軸１５の下方に平行に配置された螺軸２１と、螺軸２１に沿って前後方向に移動するスライダ２２と、螺軸２１の先端に固定された中間ギア２３とを有している。スライダ２２にはスプール軸１５の後端が回転不能に固定されている。中間ギア２３はピニオンギア１２に噛み合っている。
【００１８】
ロータ３は、図２に示すように、円筒部３０と、円筒部３０の側方に互いに対向して設けられた第１ロータアーム３１及び第２ロータアーム３２とを有している。円筒部３０と第１ロータアーム３１及び第２ロータアーム３２とは、たとえばアルミニウム合金製であり一体成形されている。
第１ロータアーム３１の先端の外周側には、第１ベール支持部材４０が揺動自在に装着されている。第１ベール支持部材４０の先端には、釣り糸をスプール４に案内するためのラインローラ４１が装着されている。また、第２ロータアーム３２の先端内周側には、第２ベール支持部材４２が揺動自在に装着されている。
【００１９】
ラインローラ４１と第２ベール支持部材４２との間には線材を略Ｕ状に湾曲させた形状のベール４３が固定されている。これらの第１及び第２ベール支持部材４０、４２、ラインローラ４１及びベール４３により釣り糸をスプール４に案内するベールアーム４４が構成される。ベールアーム４４は、図２に示す糸案内姿勢とそれから反転した糸開放姿勢との間で揺動自在である。
【００２０】
ロータ３の円筒部３０の内部にはロータ３の逆転を禁止・解除するための逆転防止機構５０が配置されている。逆転防止機構５０は、図２に示すように、内輪が遊転するローラ型のワンウェイクラッチ５１と、ワンウェイクラッチ５１を作動状態（逆転禁止状態）と非作動状態（逆転許可状態）とに切り換える切換機構５２とを有している。
【００２１】
スプール４は、図２に示すように、ロータ３の第１ロータアーム３１と第２ロータアーム３２との間に配置されており、スプール軸１５の先端にドラグ機構６０を介して装着されている。スプール４は、図３に示すように、外周に釣り糸が巻かれる大小２段の円筒状のスプール本体７と、スプール本体７の前端に装着された大径のフランジ部８と、フランジ部８をスプール本体７に固定するためのフランジ固定部材９とを有している。
【００２２】
スプール本体７は、図３に示すように、たとえばアルミニウム合金を絞り加工等のプレス加工して得られた大小２段の円筒状の部材であり、第１軸受５６及び第２軸受５７によりスプール軸１５に回転自在に装着されている。スプール本体７は、外周に釣り糸が巻かれる筒状の糸巻胴部７ａと、糸巻胴部７ａの後部に一体で形成された大径筒状のスカート部７ｂとを有している。
【００２３】
糸巻胴部７ａは、図３に示すように、金属薄板により筒状に形成された筒状部１６と、筒状部１６の内周側に別体で接着された合成樹脂製の円筒部１７と、円筒部１７の後端側に円筒部１７と一体成形された環状の内周部１８とを有している。円筒部１７の内周面には、図３に示すように、フランジ固定部材９を装着するための雌ねじ部１７ａが形成されている。内周部１８の内側には第１軸受５６及び第２軸受５７が装着されており、第１軸受５６及び第２軸受５７は筒状の保持部材７０を介してスプール軸１５に回転自在に装着されている。保持部材７０の後端部には、後方への移動が規制されて装着された環状部材２０が当接している。
【００２４】
環状部材２０は、図４に示すように、スプール軸１５に前後移動不能に装着された金属製のリング部材である。環状部材２０は第２軸受５７の後端に当接している。環状部材２０をスプール軸１５に固定することにより、ドラグ機構６０により内周部１８が後方に押圧されても、スプール４全体を受けることができる。保持部材７０は、図４に示すように、後端部が環状部材２０に当接し内周部１８により後方に押圧される筒状の部材である。保持部材７０は、外周に第１軸受５６及び第２軸受５７が保持され、内周がスプール軸１５に回転不能に装着されている。保持部材７０は、内周がスプール軸１５に回転不能に装着される円筒部７１と、円筒部７１の外周に設けられ前側面が内周部１８に押圧される円板部７２とを有している。円筒部７１は、円板部７２の前側に設けられ外周に第１軸受５６が配置される第１円筒部７１ａと、円板部７２の後側に設けられ外周に第２軸受５７が配置される第２円筒部７１ｂとを有している。
【００２５】
保持部材７０は、第１円筒部７１ａに形成された貫通孔７１ｃを貫通し、スプール軸１５に形成された雌ねじ１５ａに螺合する六角穴付き止めねじ等のピン部材７５によりスプール軸１５に回転不能に固定されている。また、ピン部材７５が装着された第１円筒部７１ａには、円板部７２の前側面と内周部１８との間には、３枚の間座部材７６が装着されている。保持部材７０の前端部には、環状部材２０とで保持部材７０を挟持するナット部材８０が当接している。
【００２６】
ナット部材８０は、図４に示すように、スプール軸１５外周に前方から装着されている。ナット部材８０の内周には雌ねじ８０ａが形成されており、この雌ねじ８０ａをスプール軸１５の外周に形成された雄ねじ１５ｂに螺合させることにより、ナット部材８０をスプール軸１５に装着している。また、ナット部材８０と保持部材７０の前端部との間には緩み止め用の座金７７が装着されている。さらに、ナット部材８０の外径は第１軸受５６の内径より小さくなっている。
【００２７】
スカート部７ｂは、図２及び図３に示すように、ロータ３の円筒部３０を覆うように筒状に糸巻胴部７ａと一体成形されている。スカート部７ｂは、アルミニウム合金を絞り加工して得られた金属薄板により形成されている。
フランジ部８は、図３に示すように、外周に行くほど前方に傾斜するように形成された金属製又は硬質セラミック製の傷つきにくい円板状の部材である。フランジ部８は、糸巻胴部７ａの雌ねじ部１７ａに螺合するフランジ固定部材９により、糸巻胴部７ａとの間に挟持されて固定されている。
【００２８】
フランジ固定部材９は、図３に示すように、糸巻胴部７ａの雌ねじ部１７ａに螺合する筒状の雄ねじ部９ａと、雄ねじ部９ａの内周側に一体で形成されドラグ機構６０の後述する複数のドラグ板６２を収納可能な空間を内部に有する筒状のドラグ収納部９ｂと、雄ねじ部９ａの先端にフランジ部８に当接可能に設けられた当接部９ｃとを有している。
【００２９】
ドラグ機構６０は、スプール４とスプール軸１５との間に装着されスプール４にドラグ力を作用させるための機構である。ドラグ機構６０は、ドラグ力を手で調整するためのつまみ部６１と、つまみ部６１によりスプール４側に押圧される複数枚のドラグ板６２とを有している。
次にリールの操作及び動作について説明する。
【００３０】
キャスティング時にはベールアーム４４を糸開放姿勢に反転させる。これにより第１ベール支持部材４０及び第２ベール支持部材４２は揺動する。この状態で釣竿を握る手の人差し指で釣り糸を引っかけながら釣竿をキャスティングする。すると釣り糸は仕掛けの重さにより勢いよく放出される。仕掛けが着水した後ハンドル１を釣り糸巻き取り方向に回転させると、ロータ駆動機構５によりロータ３が釣り糸巻き取り方向に回転し、ベールアーム４４が図示しないベール反転機構により釣り糸巻き取り位置に復帰しロータ３の逆転が禁止されているので釣り糸の放出が止まる。
【００３１】
釣り糸を巻き取る際には、ハンドル１を釣り糸巻き取り方向に回転させる。すると、その回転がフェースギア１１、ピニオンギア１２を介してロータ３に伝達されロータ３が回転する。ロータ３が回転すると、ラインローラ４１に案内された釣り糸がスプール４に巻き付けられる。
このようなスプール４を組み立てるには、図４に示すように、まず、スプール軸１５に保持部材７０を装着し、ピン部材７５により固定する。次に間座部材７６を装着し、スプール４の内周部１８を装着する。そして前方から第１軸受５６を装着し、後方から第２軸受５７を装着する。そして、スプール軸１５に環状部材２０を装着する。次に、スプール軸１５に前方から座金７７及びナット部材８０を装着し、ナット部材８０と環状部材２０とで保持部材７０を挟持する。
【００３２】
このようなスプール４では、スプール軸１５に前方から装着され、保持部材７０の前端部が当接して環状部材２０とで保持部材７０を挟持するナット部材８０を有している。このため、たとえばドラグ機構６０を緩めたとき、スプール４の内周部１８が保持部材７０を後方に押圧する力が小さくなっても、保持部材７０はナット部材８０と環状部材２０とで挟持されているので、保持部材７０のがたつきを防止できる。
【００３３】
〔他の実施形態〕
（ａ）  前記実施形態では浅溝スプールを用いていたが、これに限定されるものではなく、他のあらゆるスピニングリールのスプールについて本発明を適用できる。
（ｂ）  前記実施形態では、２つの第１軸受５６及び第２軸受５７を用いたが、これに限定されるものではなく、たとえば１つの軸受のみ用いる構成にしてもよい。
【００３４】
（ｃ）  前記実施形態では、保持部材７０は、六角穴付き止めねじ等のピン部材７５により固定されていたが、保持部材７０のスプール軸１５に対する固定方法はこれに限定されない。
（ｄ）  前記実施形態では、環状部材２０は金属製のリング部材であったが、たとえば周囲に凹凸部を形成しスプール４の回転により凹凸部に当接する発音機構をさらに備える構成にしてもよい。
【００３５】
【発明の効果】
本発明によれば、スピニングリールのスプール支持構造において、このスプール支持構造では、保持部材はナット部材と環状部材とで挟持されているので、保持部材のがたつきを防止できる。
【図面の簡単な説明】
【図１】本発明の一実施形態によるスピニングリールの右側面図。
【図２】前記スピニングリールの左側面断面図。
【図３】前記スピニングリールのスプールの拡大断面図。
【図４】前記スプールの支持部分の右側面拡大図。
【符号の説明】
２  リール本体
４  スプール
７ａ  糸巻胴部
１５  スプール軸
２０  環状部材
５６  第１軸受
５７  第２軸受
６０  ドラグ機構
７０  保持部材
７１  円筒部
７１ａ  第１円筒部
７１ｂ  第２円筒部
７２  円板部
７５  ピン部材
７６  間座部材
７７  座金
８０  ナット部材
【図１】
2004180648.tif 000003
【図２】
2004180648.tif 000004
【図３】
2004180648.tif 000005
【図４】
2004180648.tif 000006